(57)【特許請求の範囲】
【請求項１】
互いに直交する前後方向及び幅方向を有し、
吸収材料が積層された吸収コアを有する吸収体と、
前記吸収体よりも肌対向面側に位置する肌面シートと、
前記吸収体よりも非肌対向面側に位置する非肌面シートと、
前記吸収体の外側縁よりも幅方向の内側に位置し、前記吸収体の外側縁の厚さよりも厚さが厚い中高部と、を備える吸収性物品であって、
前記中高部の後側において前記中高部に隣接し、前記吸収性物品が厚み方向に曲がることができるように構成された第１曲部と、
前記第１曲部の後側において、前記吸収性物品が厚み方向に曲がることができるように構成された第２曲部と、を有し、
前記第１曲部及び前記第２曲部は、剛性が変化する境界によって規定され、
前記中高部の吸収体の厚さは、前記第２曲部の後側において前記第２曲部に隣接する後方部の吸収体の厚さよりも厚く、
前記第１曲部の外側縁及び前記第２曲部の外側縁は、前記吸収コアの外側縁に位置する、吸収性物品。
【請求項２】
前記第１曲部の前記幅方向の中心と前記中高部の前記前後方向の中心との距離は、２５ｍｍ以上８０ｍｍ以下である、請求項１に記載の吸収性物品。
【請求項３】
前記吸収性物品の前記前後方向の断面において、前記中高部の吸収体の後端縁から前記厚み方向に延びる中高部の吸収体の後面と、前記中高部の吸収体の非肌対向面と、が成す角度は、前記中高部の吸収体の前端縁から前記厚み方向に延びる中高部の吸収体の前面と、前記中高部の吸収体の非肌対向面と、が成す角度よりも大きい、請求項１又は請求項２に記載の吸収性物品。
【請求項４】
前記前後方向において前記第１曲部と前記第２曲部の間に位置する中間領域を有し、
前記中間領域の前記吸収材料の目付は、前記中高部の前記吸収材料の目付よりも低く、かつ前記後方部の前記吸収材料の目付よりも低い、請求項１から請求項３のいずれかに記載の吸収性物品。
【請求項５】
前記中間領域の前記前後方向の長さは、１０ｍｍ以上である、請求項４に記載の吸収性物品。
【請求項６】
前記中間領域の前記前後方向の長さは、５０ｍｍ以下である、請求項５に記載の吸収性物品。
【請求項７】
前記非肌面シートには、前記吸収性物品を下着に止めるための粘着剤を有する粘着領域が設けられており、
前記第１曲部、前記第２曲部及び前記中間領域は、厚み方向において前記粘着領域に重なっていない、請求項４から請求項６のいずれかに記載の吸収性物品。
【請求項８】
前記中間領域の前記前後方向の長さは、前記中高部の前記第１曲部に隣接する部分の前記吸収体の厚さよりも長い、請求項４から請求項７のいずれかに記載の吸収性物品。
【請求項９】
前記前後方向に伸縮する伸縮性部材を備え、
前記伸縮性部材は、前記前後方向において前記第１曲部及び前記第２曲部を跨いで配置される、請求項１から請求項８のいずれかに記載の吸収性物品。
【請求項１０】
前記第１曲部及び前記第２曲部は、平面視において、後方に向かって凸状に湾曲する、請求項１から請求項９のいずれかに記載の吸収性物品。
【請求項１１】
前記吸収体を厚み方向に圧縮した圧搾部を備えており、
前記圧搾部は、前記中高部の外側縁に沿って配置されている、請求項１から請求項１０のいずれかに記載の吸収性物品。
【請求項１２】
前記第１曲部の外側縁及び前記第２曲部の外側縁は、前記圧搾部よりも前記幅方向の外側に位置する、請求項１１に記載の吸収性物品。
【発明の詳細な説明】
【技術分野】
【０００１】
本発明は、生理用ナプキン等の吸収性物品に関する。
【背景技術】
【０００２】
夜用の吸収性物品は、着用者が寝た状態で使用され、昼用の吸収性物品と比較して長時間使用される。そのため、夜用の吸収性物品の使用時には、後漏れが発生し易い。特許文献１には、後漏れを防止する夜用の吸収性物品が開示されている。
【０００３】
特許文献１の吸収性物品は、着用者の液排泄部に対向配置される排泄部対向部と、排泄部対向部よりも背中側に配置される後方部と、を有する。後方部における吸収体には、複数本の幅方向に延びる高密度部と低密度部が形成されている。特許文献１の吸収性物品は、体液が後方に流れた際に比較的密度が高い高密度部によって体液を保持するとともに、比較的密度が低い低密度部が柔軟に変形し、後漏れを抑制する。
【先行技術文献】
【特許文献】
【０００４】
【特許文献１】特開２０１０−１３６９００号公報
【発明の概要】
【発明が解決しようとする課題】
【０００５】
しかし、上述した吸収性物品には、以下の問題点があることがわかった。本出願人は、寝た状態の着用者の身体の変形を種々調査した。その結果、寝た状態の着用者は、体圧によって身体が変形し、吸収性物品が意図しない状態に変形することがわかった。  
【０００６】
具体的には、仰向けに寝た状態の着用者は、臀部の膨らみが押しつぶされる。臀部の膨らみが潰れた部分は、股下側に移動する。着用者の股下域に対向して配置された吸収性物品は、臀部の膨らみが潰れた部分によって押圧され、着用者の身体から離れるように変形する。その結果、着用者の股下域と吸収性物品との間に隙間が生じ、後漏れが発生することがあった。  
【０００７】
本発明は、上述の課題に鑑みてなされたものであり、着用者が仰向けに寝た状態において後漏れを抑制できる吸収性物品を提供することを目的とする。
【課題を解決するための手段】
【０００８】
上述した課題を解決するため、本開示に係る吸収性物品（吸収性物品１）は、互いに直交する前後方向（前後方向Ｌ）及び幅方向（幅方向Ｗ）を有し、吸収材料が積層された吸収コアを有する吸収体（吸収体３０）と、前記吸収体よりも肌対向面側に位置する肌面シート(肌面シート１０)と、前記吸収体よりも非肌対向面側に位置する非肌面シート（非肌面シート２０）と、前記吸収体の外側縁よりも幅方向の内側に位置し、前記吸収体の外側縁の厚さよりも厚さが厚い中高部（中高部３３）と、を備える吸収性物品であって、前記中高部の後側において前記中高部に隣接し、前記吸収性物品が厚み方向に曲がることができるように構成された第１曲部（第１曲部４１）と、前記第１曲部の後側において、前記吸収性物品が厚み方向に曲がることができるように構成された第２曲部（第２曲部４２）と、を有し、前記中高部の吸収体の厚さ（厚さ３３Ｔ）は、前記第２曲部の後側において前記第２曲部に隣接する後方部（後方部３４）の吸収体の厚さ（厚さ３４Ｔ）よりも厚いことを要旨とする。
【発明の効果】
【０００９】
本発明によれば、着用者が仰向けに寝た状態において後漏れを抑制できる吸収性物品を提供することができる。
【図面の簡単な説明】
【００１０】
【図１】実施形態に係る吸収性物品の平面図である。
【図２】図１に示す吸収性物品の背面図である。
【図３】図１に示すＡ−Ａ断面の模式断面図である。
【図４】図１に示す吸収性物品の装着状態を説明するための模式図である。
【図５】変形例に係る吸収性物品の平面図である。
【発明を実施するための形態】
【００１１】
（１）吸収性物品の全体構成
図１乃至図３を参照して、実施形態に係る吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
図１は、吸収性物品の平面図であり、図２は、吸収性物品の背面図である。図３は、図１に示すＡ−Ａ断面図である。本実施形態に係る吸収性物品１は、夜用の生理用ナプキンである。
【００１３】
吸収性物品１は、着用者の前側（腹側）及び後側（背側）に延びる前後方向Ｌと、前後方向Ｌと直交する幅方向Ｗと、着用者の肌対向面側Ｔ１及び非肌対向面側Ｔ２に延びる厚み方向Ｔと、を有する。
【００１４】
吸収性物品１は、吸収材料が積層された吸収コアを有する吸収体３０、吸収体３０よりも肌対向面側Ｔ１に位置する肌面シート１０、及び吸収体３０よりも非肌対向面側Ｔ２に位置する非肌面シート２０を備える。肌面シート１０は、吸収体３０の少なくとも幅方向中央を覆う液透過性の表面シート１１と、表面シート１１の外側縁（幅方向の外端）を覆い、幅方向の外側に延出するサイドシート１２と、を有する。非肌面シート２０は、液不透過性のシートである。
【００１５】
表面シート１１は、体液等の液体を透過する液透過性のシートである。表面シート１１は、少なくとも吸収体３０の表面を覆う。表面シート１１は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１６】
サイドシート１２は、表面シート１１と同様の材料から選ぶことができる。但し、サイドシート１２を乗り越えて吸収性物品１の外方へ経血が流れることを防止するためには、サイドシート１２は、疎水性又は撥水性を有することが好ましい。サイドシート１２は、後述する本体部２の外側縁、ウイング３及びヒップフラップ４に配置されている。
【００１７】
非肌面シート２０は、肌面シート１０の長さと略同一の長さを有する。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００１８】
吸収体３０は、吸収材料が積層された吸収コア３１と、吸収コア３１を覆うコアラップ３２と、を有する。吸収材料は、例えば、親水性繊維、パルプ、及びＳＡＰを例示できる。
【００１９】
吸収性物品１は、本体部２と、ウイング３と、ヒップフラップ４と、を有する。本体部２は、吸収性物品１の幅方向Ｗの中央に位置し、前後方向Ｌに延びる。ウイング３及びヒップフラップ４は、本体部２の外側縁２Ｅよりも幅方向Ｗの外側に延出している。本体部２の外側縁２Ｅは、吸収体３０の外側縁３０Ｅに一致する。
【００２０】
本体部２は、肌面シート１０と、非肌面シート２０と、吸収体３０と、を有する。より詳細には、本体部２は、表面シート１１と、サイドシート１２の一部と、非肌面シート２０と、吸収体３０と、を含む。
【００２１】
ウイング３は、サイドシート１２と、非肌面シート２０と、を有する。ウイング３は、非肌面シート２０側に折り返し可能に構成されており、使用時に下着のクロッチ部の非肌対向面側に折り返される。ヒップフラップ４は、ウイング３の後方に位置する。ヒップフラップ４は、使用時に下着の非肌対向面側に折り返されずに下着の肌対向面側に配置されるように構成されている。
【００２２】
サイドシート１２の内側縁１２Ｅは、前後方向Ｌに沿って幅方向Ｗの外側に折り返されている。当該折り返されたサイドシート１２間に、前後方向Ｌに伸縮する伸縮性部材９１が配置されている。サイドシート１２の内側縁１２Ｅは、表面シート１１に接合されていない。サイドシート１２の内側縁１２Ｅ及び伸縮性部材９１は、起立性の防漏カフを構成する。伸縮性部材９１は、前後方向Ｌにおいて後述する第１曲部４１及び第２曲部４２を跨いで配置される。より詳細には、伸縮性部材９１の前端縁９１Ｆは、第１曲部４１よりも前方に位置し、伸縮性部材９１の後端縁９１Ｒは、第２曲部４２よりも後方に位置する。
【００２３】
図２に示すように、非肌面シート２０の非肌対向面には、吸収性物品を下着Ｓに止めるための粘着剤が塗布された粘着領域６０が設けられている。粘着領域６０は、本体部２に配置された第１本体粘着領域６１及び第２本体粘着領域６２と、ウイング３に配置されたウイング粘着領域６３と、ヒップフラップ４に配置されたヒップフラップ粘着領域６４と、を有する。第１本体粘着領域６１は、第２本体粘着領域６２と前後方向に離間しており、第２本体粘着領域６２よりも前方に配置されている。
【００２４】
粘着領域６０は、使用前の状態において、剥離シート６５によって覆われている。剥離シート６５は、使用前に接着剤が劣化するのを防止している。剥離シート６５は、使用時に着用者によって剥離される。なお、剥離シートを有しない吸収性物品においては、吸収性物品を個別に包装する包装シートによって使用前に接着領域が劣化するのを防止するように構成されていてもよい。
【００２５】
吸収性物品１には、第１曲部４１及び第２曲部４２が設けられている。第１曲部４１及び第２曲部４２は、ウイング３の前後方向の中心よりも後側かつ吸収コア３１の後端縁よりも前側に位置する。第１曲部４１及び第２曲部４２は、幅方向Ｗに延びており、吸収性物品１が厚み方向Ｔに曲がることができるように構成されている。なお、本実施の形態の吸収体３０は、吸収コアの後端縁と吸収体の後端縁が略一致している。第１曲部４１は、後述する中高部３３の後側において中高部３３に隣接している。第２曲部４２は、第１曲部４１の後側に位置する。
【００２６】
吸収性物品１は、第１曲部４１の前方において第１曲部４１に隣接する第１領域Ｒ１と、第２曲部４２の後方において第２曲部４２に隣接する第２領域Ｒ２と、前後方向Ｌにおいて第１曲部４１と第２曲部４２の間に位置する中間領域Ｒ３と、を有する。第１領域Ｒ１は、吸収体３０の前端縁３０Ｆから第１曲部４１までの領域である。第２領域Ｒ２は、吸収体３０の後端縁３０Ｒから第２曲部４２までの領域である。中間領域Ｒ３は、第１曲部４１と第２曲部４２との間の領域である。なお、第２領域Ｒ２の範囲と後方部３４の範囲とは、一致する。
【００２７】
中間領域Ｒ３の吸収材料の目付は、中高部３３の吸収材料の目付よりも低く、かつ後方部３４の吸収材料の目付よりも低い。なお、中間領域Ｒ３は、吸収材料の目付が中高部３３等よりも低い領域であればよく、目付が０の領域であってもよいし、設計上の目付が０であるが、中高部等から混入した吸収材料が配置された領域であってもよい。
【００２８】
第１曲部４１は、剛性が変化する境界となる。第１曲部４１よりも前側の領域の剛性と、第１曲部４１よりも後側の領域の剛性と、は、異なる。より詳細には、第１曲部４１よりも前側の領域の吸収材料の目付は、第１曲部４１よりも後側の領域の吸収材料の目付よりも高い。よって、第１曲部４１よりも前側の剛性は、第１曲部４１よりも後側の剛性よりも高い。
【００２９】
第２曲部４２は、第１曲部４１よりも後方に位置する。第２曲部４２は、剛性が変化する境界である。第２曲部４２よりも前側の領域の剛性と、第２曲部４２よりも後側の領域の剛性と、は異なる。より詳細には、第２曲部４２よりも前側の領域の吸収材料の目付は、第２曲部４２よりも後側の領域の吸収材料の目付よりも低い。よって、第２曲部４２よりも前側の剛性は、第２曲部４２よりも後側の剛性よりも低い。
【００３０】
また、中間領域Ｒ３の前後方向の長さは、１０ｍｍ以上かつ５０ｍｍ以下であることが好ましい。なお、中間領域Ｒ３の前後方向の長さが変化する構成にあっては、中間領域Ｒ３の幅方向の中心における前後方向の長さが１０ｍｍ以上かつ５０ｍｍ以下であればよい。また、より好ましくは、中間領域Ｒ３の前後方向の長さは、１０ｍｍ以上かつ３０ｍｍ以下である。
【００３１】
第１曲部４１及び第２曲部４２は、平面視において、後方に向かって凸状に湾曲する。より詳細には、第１曲部４１の幅方向の中心は、第１曲部４１の外側縁よりも後方に位置する。第１曲部４１の幅方向の中心は、後方に向かう凸状である。第２曲部４２の幅方向の中心は、第２曲部４２の外側縁よりも後方に位置する。第２曲部４２の幅方向の中心は、後方に向かう凸状である。なお、第１曲部４１と第２曲部の４２の前後方向における距離は、一定であってもよいし、変化していてもよい。
【００３２】
第１曲部４１、第２曲部４２及び中間領域Ｒ３は、厚み方向Ｔにおいて粘着領域６０に重なっていない。第１本体粘着領域６１は、第１領域Ｒ１内に配置されており、第２本体粘着領域６２は、第２領域Ｒ２内に配置されている。第１本体粘着領域６１は、中高部３３と厚み方向において重なっている。第２本体粘着領域６２は、後方部３４と厚み方向において重なっている。第１本体粘着領域６１の後端縁６１Ｒは、第１曲部４１よりも前方に位置し、第２本体粘着領域６２の前端縁６２Ｆは、第２曲部４２よりも後方に位置する。
【００３３】
第１曲部４１の外側縁４１Ｅ及び第２曲部４２の外側縁４２Ｅは、吸収コア３１の外側縁に位置する。すなわち、第１曲部４１及び第２曲部４２は、吸収コアの幅方向全域に亘って形成されている。吸収コア３１は、第１曲部４１及び第２曲部４２によって前後方向Ｌに分断されている。なお、本実施の形態の吸収体３０は、吸収コア３１の外側縁と吸収体３０の外側縁が略一致している。よって、図面上、第１曲部４１の外側縁４１Ｅ及び第２曲部４２の外側縁４２Ｅは、吸収体３０の外側縁３０Ｅと一致するように示す。
【００３４】
吸収性物品１は、吸収体３０の外側縁３０Ｅよりも幅方向の内側に位置する中高部３３を有する。中高部３３は、第１領域Ｒ１内に設けられている。中高部３３の前後方向の中心３３ＬＣは、着用者の排泄口に対向して配置される。中高部３３は、第１曲部４１よりも前側に位置し、吸収体３０の外側縁３０Ｅよりも幅方向の内側に位置する。図１において、中高部３３に斜線を付して示す。中高部３３の厚さ３３Ｔは、吸収体３０の外側縁３０Ｅの厚さよりも厚い。中高部３３の厚さ３３Ｔは、後方部３４の吸収体の厚さ３４Ｔよりも厚い。中高部３３の吸収材料の目付は、吸収体３０の外側縁３０Ｅの吸収材料の目付よりも高い。中高部３３は、第１曲部４１に隣接している。
【００３５】
中高部３３の後端縁は、第１曲部４１に一致する。本実施の形態において中高部３３の前後方向の長さは、９５ｍｍである。中高部３３の前端縁は、中高部３３の後端縁から前方に９５ｍｍの位置となる。中高部３３の前後方向の中心３３ＬＣは、排泄口に対向して配置される領域の前後方向中心となることが好ましい。中高部３３の前後方向の中心３３ＬＣがウイングの前後方向の中心に一致することが好ましい。また、中高部３３の前後方向の中心３３ＬＣは、下着のクロッチ部分において最も幅方向の長さが短い箇所に当たる。
【００３６】
なお、吸収体が２層の吸収層を備える構成にあっては、中高部の吸収体が２層の吸収層を有し、中高部以外の吸収体が１層のみの吸収層を有していてもよい。また、変形例として、中高部の吸収体が体液を引き込む補助シートを有し、中高部以外の吸収体が補助シートを有しない構成であってもよい。
【００３７】
中間領域Ｒ３の前後方向Ｌの長さは、中高部３３の第１曲部４１に隣接する部分の吸収体３０の厚さよりも長い。なお、中高部の吸収体３０の厚さが変化する構成にあっては、中間領域Ｒ３の前後方向の長さは、第１曲部４１に隣接する部分の吸収体３０の厚さよりも長く構成されていればよく、中高部の他の部分（例えば、前後方向の中央部分）の厚さよりも短く構成されていてもよい。
【００３８】
第１曲部４１の幅方向の中心４１ＷＣと中高部３３の前後方向の中心３３ＬＣとの距離Ｌ１は、２５ｍｍ以上であることが望ましい。また、第１曲部４１の幅方向の中心４１ＷＣと中高部３３の前後方向の中心との距離Ｌ１は、８０ｍｍ以下であることが望ましい。なお、第１曲部４１が前後方向に所定長さを有する構成にあっては、第１曲部４１の前端縁の幅方向の中心と中高部３３の前後方向の中心３３ＬＣとの距離が２５ｍｍ以上８０ｍｍ以下であればよい。
【００３９】
図３に示す吸収性物品１の前後方向Ｌに沿った断面において、中高部３３の後端縁３３Ｒから厚み方向Ｔに延びる中高部３３の後面３３ＲＳと、中高部３３の非肌対向面と、が為す角度αは、中高部３３の前端縁３３Ｆから厚み方向Ｔに延びる中高部３３の前面３３ＦＳと、中高部３３の非肌対向面と、が為す角度βよりも大きい。角度αは、中高部３３の後面３３ＲＳと、中高部３３の後端縁３３Ｒから前方に延びる中高部３３の非肌対向面と、がなす角度である。また、角度βは、中高部３３の前面３３ＦＳと、中高部３３の前端縁３３Ｆから後方に延びる中高部３３の非肌対向面と、がなす角度である。
【００４０】
本明細書における「吸収体の厚さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
測定位置は、吸収体の製品幅方向中央部とする。測定する際は、吸収性物品が縮んだ状態ではなく、吸収性物品の伸縮性部材を伸張させた状態として測定する。また、吸収体以外の肌面シート及び非肌面シート等、吸収体以外の部分を取り除く。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００４１】
また、本明細書における「吸収体の目付及び密度」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００４２】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００４３】
次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００４４】
また、本明細書における「吸収体の中高部の角度」の測定は、以下の測定方法によって行われるものとする。包装体によって包装された吸収性物品においては包装体を開封し、折り畳まれた吸収性物品を展開して、吸収性物品の側面から写真を撮影し、図３に示すα、βの角度を、分度器によって測定する。
【００４５】
（２）吸収性物品の装着状態
次いで、このように構成された吸収性物品１の装着状態を説明する。図４は、吸収性物品１が着用者に装着された状態の図１のＡ−Ａ断面を基準とした断面図である。図４（ａ）は、吸収性物品１を装着した着用者が立った状態を示している。吸収性物品１の中高部３３は、下着のクロッチ部（着用者の股下域に対向する部分）に、第１本体粘着領域６１を介して止着されている。吸収性物品１の後方部３４は、下着のクロッチ部の後方部分（着用者の臀部に対向する部分）に、第２本体粘着領域６２を介して止着されている。着用者が立った状態で、着用者の臀部は膨らんだ状態である。
【００４６】
図４（ｂ）は、図４（ａ）に示す断面図を９０度回転させた状態であり、着用者が仰向けに寝た状態を示している。着用者が仰向けに寝た状態は、寝具によって着用者の身体が押圧されるが、図４（ｂ）においては、説明の便宜上、寝具によって着用者の身体が押圧されていない状態を示している。図４（ｂ）に、寝具を示すラインＬＢを図示する。寝具のラインＬＢと身体が重なっている領域は、身体が寝具によって押圧され、身体が寝た状態で変形する領域である。
【００４７】
図４（ｃ）は、仰向けに寝た着用者の身体が寝具によって押圧されて変形した状態を示している。図４（ｃ）に示す状態では、図４（ｂ）において身体と寝具のラインと重なっている領域が変形している。より詳細には、着用者の臀部の膨らみが潰れ、着用者の臀部の一部が平坦な形状である。臀部の潰れた部分は、股下側に移動し、脚の付け根から脚先側に膨らむ。臀部の潰れた部分の臀部側の端部に第２曲部４２が配置され、臀部の潰れた部分の股下側の端部に第１曲部４１が配置される。そのため、吸収性物品の中間領域Ｒ３が、臀部の膨らみが潰れた部分に沿って変形し、臀部の潰れた部分に沿って配置される。
【００４８】
（３）作用・効果
中高部３３は、着用者の排泄口に対向する位置となる。当該中高部３３の後方に、第１曲部４１と第２曲部４２が設けられている。着用者の排泄口よりも後方の臀部に当たる位置に、第１曲部４１の変形起点と第２曲部４２の変形起点とが形成される。よって、吸収性物品１は、臀部の膨らみが潰れた際に、臀部の変形に沿って柔軟に変形する。
【００４９】
また、中高部３３の吸収体３０の厚さは、後方部３４の吸収体３０厚さよりも厚い。よって、着用者の排泄口に中高部３３の膨らみを当てて、排泄口に対するフィット性を高めることができる。一方、後方部３４の吸収体３０の厚みが比較的薄いため、臀部の変形に応じて吸収体３０が柔軟に変形でき、吸収体３０を臀部に沿って配置できる。よって、後方部３４における吸収体３０と臀部の隙間を減らし、後漏れを抑制できる。
【００５０】
中高部３３は、第１曲部４１に隣接している。中高部３３の厚さは、吸収体３０の中高部以外の領域の厚さよりも厚い。中高部３３と第１曲部４１が隣接することにより、中高部３３と中間領域Ｒ３の剛性差及び厚み差が大きくなり、より明確な変形起点が形成される。よって、中間領域Ｒ３と中高部３３とを異なる形状で身体に沿わせて配置できる。
【００５１】
中高部３３の前後方向の中心３３ＬＣがウイングの前後方向の中心に一致することが好ましい。中高部の前後方向の中心が、装着時の足からの側圧を受けつつ、中高部の前側及び後側も同様に足からの側圧を受け、中高部の膨らみによる身体へのフィットが良好になる。着用者が仰向けに寝た状態で、臀部がつぶれることにより、吸収コアが前方へ押し出されそうになる。しかし、着用者の脚による側圧からのホールド力で中高部の位置がずれ難く、フィット性を維持し、経血をより良く捕集できる。
【００５２】
第１曲部４１の幅方向Ｗの中心４１ＷＣと中高部３３の前後方向Ｌの中心３３ＬＣとの距離Ｌ１は、２５ｍｍ以上８０ｍｍ以下である。本出願人が種々調査を行った結果、臀部における股下側の変形起点は、中高部３３の前後方向Ｌの中心３３ＬＣよりも２５ｍｍ以上後方に位置することが多い。よって、第１曲部４１の幅方向Ｗの中心４１ＷＣと中高部３３の前後方向Ｌの中心３３ＬＣとの距離Ｌ１が２５ｍｍ以上であると、臀部の股下側の変形起点に第１曲部４１や中間領域Ｒ３が位置する。また、第１曲部４１の幅方向Ｗの中心４１ＷＣと中高部３３の前後方向Ｌの中心３３ＬＣとの距離Ｌ１が８０ｍｍを超えると、臀部が最も膨らみ、臀部の体圧が最も掛かる部分に中高部３３や中間領域Ｒ３が位置し、違和感が生じるおそれがある。
【００５３】
中高部３３の後面３３ＲＳと、中高部３３の非肌対向面と、が為す角度αは、中高部３３の前面３３ＦＳと、中高部３３の非肌対向面と、が為す角度βよりも大きい。吸収体の側面と吸収体の非肌対向面とがなす角度が大きい場合は、吸収体の側面と吸収体の非肌対向面とがなす角度が小さい場合よりも、吸収体が非肌対向面を起点に曲がりやすい。例えば、中高部３３の前面の角度が大きい場合には、中高部３３の前面に折り起点が形成され、中高部３３の前面のフィット性が低下するおそれがある。しかし、中高部３３の前面と非肌対向面とが為す角度が比較的小さいため、中高部３３の前面が折れ難くなり、中高部３３の前面のフィット性を保持できる。一方、中高部３３の後面と非肌対向面とが為す角度が比較的大きいため、中高部３３の後面に折り起点が形成され易くなる。
【００５４】
また、第１曲部４１と第２曲部４２の間には、吸収材料の目付が比較的低い中間領域Ｒ３が設けられている。中間領域Ｒ３は、吸収材料の目付が低いため、柔軟に変形し易い。臀部の潰れた部分が股下側に移動した際に、中間領域Ｒ３によって臀部の変形を吸収し、着用者に中高部３３及び後方部３４を当て続け易くなる。また、中間領域Ｒ３によって中高部３３と後方部３４が分断され、中高部３３から後方部３４に力が伝播することが抑制される。
【００５５】
また、中間領域Ｒ３の前後方向Ｌの長さは、１０ｍｍ以上である。例えば、中間領域の前後方向の長さが１０ｍｍ未満の場合には、臀部の膨らみが潰れた部分を十分に吸収できないことがある。一方、中間領域Ｒ３の前後方向の長さが１０ｍｍ以上であることにより、臀部の変形を効果的に吸収できる。
【００５６】
中間領域Ｒ３の前後方向Ｌの長さは、５０ｍｍ以下である。中間領域Ｒ３の前後方向Ｌの長さが５０ｍｍ以下であることにより、中間領域Ｒ３によって身体の変形を吸収しつつ第２領域Ｒ２によって臀部側に流れた体液を吸収できる。よって、臀部側に経血が流れることを抑制できる。一方、中間領域Ｒ３の前後方向Ｌの長さが５０ｍｍよりも長い構成にあっては、使用者は、臀部側に経血が流れる不安を感じ、装着時の安心感を得難くなる。
【００５７】
粘着領域６０は、厚み方向Ｔにおいて、第１曲部４１、第２曲部４２及び中間領域Ｒ３に重なっていない。吸収性物品１の下着に止められた部分（粘着領域が設けられた部分）は、下着に追従して変形し易い。例えば、第１曲部４１、第２曲部４２及び中間領域Ｒ３が粘着領域を介して下着に装着されている場合に仰向けに寝た状態で身体が潰れると、下着に追従して吸収性物品が変形する。吸収性物品が下着に追従して意図しない変形となり、着用者と吸収性物品に隙間が生じることがある。しかし、第１曲部４１、第２曲部４２及び中間領域Ｒ３は、下着に止められていないため、自由に変形できる。よって、第１領域Ｒ１と第２領域Ｒ２が下着と共に変形した場合であっても、当該下着から伝わる力を中間領域Ｒ３で分断し、着用者の身体の変形を中間領域Ｒ３によって吸収できる。
【００５８】
更に、中間領域Ｒ３の前後方向Ｌの長さは、中高部３３の第１曲部４１に隣接する部分の吸収体３０の厚みよりも長い。臀部の変形を中間領域Ｒ３によって吸収し、第１領域Ｒ１の後方には、臀部の変形を吸収した段差が形成される。これにより、中間領域Ｒ３よりも前側を着用者の排泄口に対向して配置し、中間領域Ｒ３よりも後側を着用者の臀部に対向して配置できる。よって、吸収性物品と身体の隙間を低減し、後漏れを抑制できる。
【００５９】
第１曲部４１の外側縁４１Ｅ及び第２曲部４２の外側縁４２Ｅは、吸収コア３１の外側縁に位置する。よって、吸収コア３１の幅方向全域が、第１曲部４１及び第２曲部４２を起点に変形し易い。また、第１曲部よりも前側の領域と第２曲部４２よりも後側の領域が前後方向Ｌにおいて分断されるため、一方の変形状態が他方に伝播することを抑制できる。
【００６０】
伸縮性部材９１は、前後方向Ｌにおいて第１曲部４１及び第２曲部４２を跨いで配置される。よって、伸縮性部材９１の収縮によって第１曲部４１よりも前側の領域と、第２曲部４２よりも後方の領域とを近付けることができる。よって、第１曲部４１等の変形によって中間領域Ｒ３に皺が生じた場合であっても、当該皺を寄せることができる。
【００６１】
第１曲部４１及び第２曲部４２は、平面視において、後方に向かって凸状に湾曲する。後方に向かって凸状に湾曲した部分は、仰向け時に下着と共に後方に向かって凸状に膨らみ、身体から離れる方向に押し出される。第１曲部４１、第２曲部４２及び中間領域Ｒ３が身体から離れることにより、第１曲部４１、第２曲部４２及び中間領域Ｒ３によって仰向け時の変形を吸収できる。よって、第１曲部よりも前側の領域及び第２曲部よりも後側の領域が身体の丸みに追従する形状に維持され、吸収性物品全体が身体の丸みに沿って配置される。
【００６２】
（４）変形例に係る吸収性物品
次いで、変形例に係る吸収性物品１Ａについて説明する。なお、変形例に係る吸収性物品１Ａの説明においては、上述した実施形態と異なる構成について説明し、上述した実施形態と同様の構成については同符号を用いて説明を省略する。
【００６３】
変形例に係る吸収性物品１Ａは、ウイング３及び防漏カフを有していない。変形例に係る吸収性物品１Ａは、圧搾部８０が形成されている。また、変形例に係る吸収性物品１Ａと、実施の形態の吸収性物品１とは、第１曲部４１、第２曲部４２及び中間領域Ｒ３の形状が異なっている。
【００６４】
変形例に係る吸収性物品１Ａは、少なくとも３０を厚み方向に圧縮した圧搾部８０を有する。本実施の形態の圧搾部８０は、表面シート１１及び吸収体３０が厚み方向に圧縮されている。圧搾部８０は、第１曲部よりも前方に配置される第１圧搾部８１と、第２曲部よりも後方に配置される第２圧搾部８２と、を有する。
【００６５】
第１圧搾部８１は、中高部３３の外側縁に沿って形成されている。第２圧搾部８２は、後方部３４内に形成されている。第１圧搾部８１は、前後方向に延びる一対の第１前後圧搾部８１Ｌと、第１前後圧搾部８１Ｌよりも前方に位置し、幅方向に延びる第１幅圧搾部８１Ｗと、を有する。第１前後圧搾部８１Ｌは、中高部３３の幅方向の中心よりも幅方向の外側に位置する。
【００６６】
なお、第１前後圧搾部８１Ｌは、前後方向Ｌに沿った直線に対して傾斜するように形成されていてもよく、前後方向Ｌに沿った直線と第１前後圧搾部８１Ｌとによって形成される角度（鋭角側）とが４５度以下であるものとする。一方、第１幅圧搾部８１Ｗは、幅方向Ｗに沿った直線に対して傾斜するように形成されていてもよく、幅方向Ｗに沿った直線と第１幅圧搾部８１Ｗによって形成される角度（鋭角側）とが４５度未満であるものとする。
【００６７】
中高部３３は、第１幅圧搾部８１Ｗと、一対の第１前後圧搾部８１Ｌと、第１曲部４１と、によって囲まれている。一対の第１前後圧搾部８１Ｌは、中高部３３の外側縁に沿って配置されている。圧搾部８０が中高部３３を囲んでいるため、中高部３３の膨らみが維持され易くなり、中高部３３が着用者の排泄口によりフィットする。
【００６８】
第１曲部４１及び第２曲部４２は、幅方向に沿った直線形状である。また、第１曲部４１の外側縁４１Ｅ及び第２曲部４２の外側縁４２Ｅは、第１前後圧搾部８１Ｌよりも幅方向の外側に位置する。なお、図５に示す変形例のように、第１前後圧搾部８１Ｌの幅方向の位置が変化する構成にあっては、少なくとも第１前後圧搾部８１Ｌの後端縁（第１曲部４１及び第２曲部４２に最も近い部分）が、第１前後圧搾部８１Ｌよりも幅方向の外側に位置していればよい。 
【００６９】
身体にフィットさせる構造を保つためには、第１曲部４１よりも前方の領域と第２曲部４２よりも後方の領域とが確実に分断する構造であることが好ましい。吸収性物品１を着用した状態で、第１よりも前方の領域及び第１曲部４１は、着用者の脚によって挟まれ、幅入りして肌対向面側に盛り上がる。よって、身体にフィットする。一方、第２よりも後方の領域及び第２曲部４２は、平坦な形状を保ち、フィット性と付け心地の良さを両立する。そのため、第１曲部４１の外側縁の幅が第１前後圧搾部よりも狭いと、中高部曲部等の前側の動きに連動し、変形起点(主に第１曲部４１)付近に皺が生じてしまい、中高部３３と後方部３４との分断効果が得られ難くなる。しかし、第１曲部４１の外側縁４１Ｅ及び第２曲部４２の外側縁４２Ｅが圧搾部８０よりも幅方向の外側に位置するため、中高部３３から圧搾部８０よりも幅方向の外側に至る領域に第１曲部４１及び第２曲部４２による変形起点を形成できる。よって、中高部３３の幅方向全域を容易に変形でき、また中高部３３と後方部３４との分断効果を得ることができる。
【００７０】
また、第１曲部４１の幅方向の外側、中間領域Ｒ３の幅方向の外側及び第２曲部４２の幅方向の外側には、吸収コア３１が配置される。よって、変形例に係る吸収コアは、第１曲部４１及び第２曲部４２によって前後方向に分断されていない。例えば、第１曲部４１及び第２曲部４２によって前後方向において吸収コアが分断すると、装着前の状態において、第１曲部４１及び第２曲部４２を起点に変形し、意図しない皺が生じるおそれがある。
【００７１】
しかし、第１曲部４１及び第２曲部４２によって前後方向において吸収コアが分断しないため、装着前の状態において第１曲部４１及び第２曲部４２を起点に変形することを抑制し、意図しない皺の発生を抑制できる。
【００７２】
（５）その他の実施形態
本実施の形態の吸収性物品は、夜用の生理用ナプキンであるが、他の実施形態として、昼用の生理用ナプキンであってもよい。また、生理用ナプキンは、ヒップフラップを備えていなくてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００７４】
（６）比較評価
次いで、中間領域の長さの比較評価について説明する。表１は、中間領域の長さの比較評価結果を示す。比較評価の試験では、実施例１〜４の吸収性物品と、比較例１〜３の吸収性物品と、を比較して、フィット性の維持状態と見た目による吸収性に対する不安感について評価した。実施例１〜４の吸収性物品と、比較例１〜３の吸収性物品と、は、中間領域Ｒ３の前後方向の長さが異なるが、その他の構成は、同じである。
【００７５】
【表１】
0005859622.tif 000002
【００７６】
比較評価の試験は、ナプキンを使用している女性２０名が実施した。評価試験では、実施者に、対象となるサンプルを視認及び使用してもらい、以下の質問をした。
【００７７】
質問１「普段使用しているナプキンと比べて、フィット性は維持出来ているか」。当該質問１に対して「維持出来ている」と答えた人数の比率が６５％以上のサンプルを官能評価が良好であり、○と評価した。また、質問１に対して「維持出来ている」と答えた人数の比率が６５%未満のサンプルを官能評価が良好でなく、×と評価した。 
【００７８】
質問２「普段使用しているナプキンと比べて、見た目の吸収性に対する不安感が少ないか（又は不安感が生じないか）」。当該質問２に対する答えが、「不安感が少ない」又は「不安感がない」と答えた人数の比率が６５％以上のサンプルを官能評価が良好であり、○と評価した。また、質問１に対して「不安感が少ない」又は「不安感がない」と答えた人数の比率が６５%未満のサンプルを官能評価が良好でなく、×と評価した。
【００７９】
実施例１〜４に係る吸収性物品は、中間領域の前後方向の長さが１０〜５０ｍｍであり、フィット性の維持評価、及び吸収性に対する不安感の評価のいずれについても良好との結果を得ることが出来た。当該結果により、中間領域の前後方向の長さは、１０ｍｍ以上５０ｍｍ以下であることが好ましいことがわかった。より詳細には、中間領域の前後方向の長さが１０ｍｍ以上であることにより、フィット性について良好な結果を得ることがわかった。また、中間領域の長さが５０ｍｍ以下であることにより、吸収性に対する不安感を抑制できることがわかった。
【００８０】
次いで、仰向けに寝た着用者の臀部の潰れた部分の股下側への迫り出し量を測定した。迫り出し量は、仰向けに寝た状態の着用者の臀部の潰れた部分の股下側の端部（図４（ｃ）のＰ１）と、臀部の迫り出しの脚側端部（図４（ｃ）のＰ２）と、の距離とした。５人の試験者の迫り出し量を測定した。測定結果を表２に示す。
【００８１】
【表２】
0005859622.tif 000003
【００８２】
測定結果から臀部の迫り出し量は、１０ｍｍ〜３０ｍｍであることがわかった。よって、中間領域の前後方向の長さが１０ｍｍ以上であることにより、着用者の臀部の潰れた部分の股下側の端部から臀部の迫り出しの脚側端部までの膨らみを覆うことができることがわかった。
【符号の説明】
【００８３】
１        ：吸収性物品
２        ：本体部
２Ｅ      ：外側縁
３        ：ウイング
４        ：ヒップフラップ
１０      ：肌面シート
１１      ：表面シート
１２      ：サイドシート
２０      ：非肌面シート
３０      ：吸収体
３３      ：中高部
３３Ｔ    ：中高部の厚さ
３３ＬＣ  ：中高部の前後方向の中心
３４      ：後方部
３４Ｔ    ：後方部の厚さ
４１      ：第１曲部
４２      ：第２曲部
６０      ：粘着領域
６１      ：第１本体粘着領域
６２      ：第２本体粘着領域
６３      ：ウイング粘着領域
６４      ：ヒップフラップ粘着領域
８０      ：圧搾部
８１      ：第１圧搾部
８２      ：第２圧搾部
９１      ：伸縮性部材
Ｒ１      ：第１領域
Ｒ２      ：第２領域
Ｒ３      ：中間領域
Ｌ        ：前後方向
Ｔ        ：厚み方向
Ｔ１      ：肌対向面側
Ｔ２      ：非肌対向面側
Ｗ        ：幅方向
【要約】
【課題】着用者が仰向けに寝た状態において後漏れを抑制できる吸収性物品を提供する。
【解決手段】吸収性物品１は、吸収体の外側縁よりも幅方向の内側に位置し、吸収体の外側縁の厚さよりも厚さが厚い中高部３３を備える。吸収性物品１は、中高部の後側において中高部に隣接し、吸収性物品が厚み方向に曲がることができるように構成された第１曲部４１と、第１曲部の後側において、吸収性物品が厚み方向に曲がることができるように構成された第２曲部４２と、を有する。中高部の吸収体の厚さ３３Ｔは、第２曲部の後側において第２曲部に隣接する後方部３４の吸収体の厚さ３４Ｔよりも厚い。
【選択図】図１【図１】
0005859622.tif 000004
【図２】
0005859622.tif 000005
【図３】
0005859622.tif 000006
【図４】
0005859622.tif 000007
【図５】
0005859622.tif 000008